(57)【特許請求の範囲】
【請求項１】
ベッド(B)の床部側縁に設けられたサイドフレーム(b)に装着して使用するベッド用側柵であって、
固定柵部(10)と、同固定柵部(10)の端部に回動自在に連結した回動把持部(20)とによって構成するとともに、
固定柵部(10)は、第１縦枠(11)と第１横枠(13)とを略Ｌ字状に連結し、第１横枠(13)の中途部から第１縦枠(11)と略平行に第２縦枠(12)を配設するとともに、第１縦枠(11)の中途部から第１横枠(13)と略平行であって、第２縦枠(12)と交差するように第２横枠(14)を配設して、第１横枠(13)と第２横枠(14)の第１縦枠(11)側とは反対側の端部を連結枠(16)で連結し、また、第２横枠(14)の下方の第１縦枠(11)と第２縦枠(12)との間に第３横枠(15)を架設し、さらに、第１縦枠(11)及び第２縦枠(12)の下端にサイドフレーム(b)に設けた挿入孔に挿入可能とした第１挿入ピン(P1)及び第２挿入ピン(P2)をそれぞれ配設して構成し、
連結枠(16)部分に回動把持部(20)の端部を回動自在に連結したベッド用側柵において、
第３横枠(15)を回動自在とし、同第３横枠を回動させることにより第１挿入ピン(P1)及び第２挿入ピン(P2)を傾倒可能としたサイドフレーム(b)への固定手段を設けていることを特徴とするベッド用側柵。
【請求項２】
回動把持部(20)の端部に連結ネジ(21)を突設して、回動自在とした連結枠(16)に同連結ネジ(21)を螺入することにより、回動把持部(20)を固定柵部(10)に連結するとともに連結枠(16)の回動による回動把持部(20)の緊緩切替を可能とし、回動把持部(20)の回動可能状態と回動不可能状態とを切り替えるようにしていることを特徴とする請求項１記載のベッド用側柵。
【発明の詳細な説明】
【０００１】
【発明の属する技術分野】
本発明は、家庭用や病院用等のベッドの床部側縁に設けられているサイドフレームに装着して使用するベッド用側柵に関するものである。
【０００２】
【従来の技術】
従来、ベッドの床部側縁に設けられたサイドフレームに装着されて使用される側柵には、サイドフレームに差し込むだけの柵や、折り畳み式など数多くの形態の側柵が存在する。
【０００３】
最近では、特開平８−３８５５６号公報や、特開平１０−１７９６５２号公報のように、側柵を固定柵部と、同固定柵部の端部に回動自在に連結した回動把持部とによって構成し、ベッドに寝ているときには回動把持部をベッドのサイドフレームと平行とした状態で固定して、布団の落下や、ベッドの使用者の落下を防止するようにし、ベッドから下りる際には回動把持部を約９０度ベッドの外側に回動させて固定し、下りるときに側柵が邪魔となることを防止するとともに、回動把持部により体を支えることができるようにしている。
【０００４】
【発明が解決しようとする課題】
しかし、側柵をベッドのサイドフレームに固定状態に装着したり、回動把持部を回動させないように固定したりするために使用されているそれぞれの固定手段、例えば、固定用ネジや固定操作用レバーは、固定柵部あるいは回動把持部を構成している枠部分から突出した状態となっていた。
【０００５】
従って、衣服が引っかかるなどして固定状態が誤って解除され、固定されていた回動把持部が突然回動したり、固定柵部がサイドフレームから外れそうになったりするという問題があった。
【０００６】
【課題を解決するための手段】
上記の問題点を解決するために、本発明では、ベッドの床部側縁に設けられたサイドフレームに装着して使用するベッド用側柵であって、固定柵部と、同固定柵部の端部に回動自在に連結した回動把持部とによって構成するとともに、固定柵部を複数の枠体によって構成し、所用の枠体を回動自在に配設して、同枠体の回動にともなって固定柵部をサイドフレームに固定する固定手段を設けた。さらに、所用の枠体を回動自在に配設して、同枠体の回動にともなって回動把持部の回動を拘束する拘束手段を設けた。
【０００７】
特に、固定柵部は、第１縦枠と第１横枠とを略Ｌ字状に連結し、第１横枠の中途部から第１縦枠と略平行に第２縦枠を配設するとともに、第１縦枠の中途部から第１横枠と略平行であって、第２縦枠と交差するように第２横枠を配設して、第１横枠と第２横枠の第１縦枠側とは反対側の端部を連結枠で連結し、また、第２横枠の下方の第１縦枠と第２縦枠との間に第３横枠を架設し、さらに、第１縦枠及び第２縦枠の下端にサイドフレームに設けた挿入孔に挿入可能とした第１挿入ピン及び第２挿入ピンをそれぞれ配設して構成し、連結枠部分に回動把持部の端部を回動自在に連結したベッド用側柵において、第３横枠を回動自在とし、同第３横枠を回動させることにより第１挿入ピン及び第２挿入ピンを傾倒可能としたサイドフレームへの固定手段を設けた。
【０００８】
さらに、回動把持部の端部に連結ネジを突設して、回動自在とした連結枠に同連結ネジを螺入することにより、回動把持部を固定柵部に連結するとともに連結枠の回動による回動把持部の緊緩切替を可能とし、回動把持部の回動可能状態と回動不可能状態とを切り替えるようにした。
【０００９】
【発明の実施の形態】
本発明のベッド用側柵は、ベッドの床部側縁に設けられたサイドフレームに固定状態に装着される固定柵部と、同固定柵部の端部に回動自在に連結した回動把持部とによって構成されるベッド用側柵であって、固定柵部のサイドフレームへの固定装着操作、及び、回動把持部の固定柵部に対する回動の固定操作、すなわち、回動把持部の拘束操作を、固定柵部を構成している枠体の中の所用の枠体を回動操作することによって行うことができるようにしているものである。
【００１０】
すなわち、枠体の一部をそのまま操作手段としていることによって、操作手段を従来のように突出状態に配設する必要がなく、衣服などが引っかかることによって勝手に固定状態が解除されることを防止することができる。
【００１１】
以下において、実施例に基づいて詳説する。
【００１２】
【実施例】
図１（ａ）は本発明のベッド用側柵Ａの正面図、図１（ｂ）は同平面図、図１（ｃ）は同底面図、図１（ｄ）は同左側面図、図１（ｅ）は同右側面図を示しているものである。なお、背面図は正面図と対称にあらわれる。図２は、同ベッド用側柵Ａの斜視図である。図３は、同ベッド用側柵ＡをベッドＢのサイドフレームｂに装着した使用状態を示す斜視図である。ベッド用側柵Ａは、固定柵部10と、同固定柵部10の端部に回動自在に連結した回動把持部20とによって構成している。
【００１３】
（固定柵部10について）
固定柵部10は、互いに略平行とし、かつ、下端にそれぞれ第１挿入ピンP1、第２挿入ピンP2を配設した第１縦枠11、第２縦枠12と、同第１・第２縦枠11,12と略直交するように設けた互いに平行な第１横枠13、第２横枠14、第３横枠15と、さらに、第１横枠13と第２横枠14との端部を連結した連結枠16とによって構成している。
【００１４】
本実施例では、各枠11,12,13,14,15,16には円筒状のパイプを使用している。材質は何であってもよく、本実施例では鉄製としている。アルミあるいはプラスチック等を用いることによって軽量化するようにしてもよい。
【００１５】
また、本実施例では、第１縦枠11・第１横枠13として、一本のパイプに所用の曲率で略９０度の折り曲げ加工を施して略Ｌ字状としたパイプを用いており、同Ｌ字状パイプの一方端側を第１縦枠11とし、他方端側を第１横枠13とするようにしている。
【００１６】
そして、第１横枠13の中途部に第２縦枠12の上端を接続し、第１縦枠11と略平行となるように第２縦枠12を配設するようにしている。また、第１縦枠11の中途部に第２横枠14の一端を接続し、第１横枠13と略平行であって、途中で第２縦枠12と交差するように第２横枠14を配設するようにしている。
【００１７】
さらに、第１横枠13の第１縦枠11側とは反対側の端部、及び、第２横枠14の第１縦枠11側とは反対側の端部にはそれぞれ第１連結具13a及び第２連結具14aを配設し、同第１・第２連結具13a,14a間に連結枠16を回動自在に配設するようにしている。特に、連結枠16は、第１縦枠11及び第２縦枠12と略平行となるようにしている。また、連結枠16にはプラスチック製のグリップ部材を環着することにより、第２グリップ部18を設けるようにしている。図１中の符号18aは、第２グリップ部18を連結枠16に装着するための装着ネジである。この連結枠16が後述する拘束手段の操作部となるようにしている。なお、図１（ｃ）において、符号42は、第２連結具14aを構成しているケース体41に装着される蓋体であり、蓋体装着ネジ43によってケース体41に装着されるようにしている。
【００１８】
第３横枠15は、第２横枠14の下方であって、第１縦枠11と第２縦枠12との間に架設されるようにしている。特に、第３横枠15を回動自在に架設するために、第１縦枠11及び第２縦枠12の第３横枠15との連結部分には第１架設具11a及び第２架設具12aを介設し、同第１架設具11a及び第２架設具12aとによって第３横枠15を回転自在に支持するようにしている。この第３横枠15が後述する固定手段の操作部となるようにしている。
【００１９】
第３横枠15にも略中央部にプラスチック製のグリップ部材を環着して、第１グリップ部17を設けるようにしている。なお、本実施例においては、図４に断面図で示すように、第３横枠15は、左第３横枠15-1と、右第３横枠15-2とを第１グリップ部17で連結して構成するようにしている。符号17aは、第１グリップ部17と左第３横枠15-1、及び、第１グリップ部17と右第３横枠15-2とを連結するための取着ネジである。第３横枠15という場合には、左第３横枠15-1と、第１グリップ部17と、右第３横枠15-2との連結体を指すものとする。なお、第３横枠15は、必ずしも左第３横枠15-1と、右第３横枠15-2と、第１グリップ部17とで構成する必要はなく、一本のパイプの所用の位置に第１グリップ部17を環装して第３横枠15としてもよい。
【００２０】
また、本実施例では、第１縦枠11に第１架設具11aを介設するために、第１縦枠11は実質的に、上部第１縦枠11-1と下部第１縦枠11-2とを第１架設具11aで連結して構成するようにしている。第２縦枠12も同様に、上部第２縦枠12-1と下部第２縦枠12-2とを第２架設具12aで連結して構成するようにしている。ただし、説明の便宜上、第１縦枠11という場合には、上部第１縦枠11-1と、第１架設具11aと、下部第１縦枠11-2との連結体を指すものとし、第２縦枠12という場合には、上部第２縦枠12-1と、第２架設具12aと、下部第２縦枠12-2との連結体を指すものとする。
【００２１】
第２横枠14及び第３横枠15は、図３に示すように、ベッド用側柵ＡをベッドＢのサイドフレームｂに装着した際に、サイドフレームｂ上面から第１横枠13までの間隔を略三等分する位置にそれぞれ設けるようにしている。但し、サイドフレームｂから第３横枠15までの間隔は、ベッドＢに敷かれるベッドマットＣの厚みよりも大きくなるようにして、ベッドマットＣに邪魔されることなく、後述する第１グリップ部17による操作を行うことができるようにしている。
【００２２】
第１縦枠11及び第２縦枠12の下端には、上述したように、ベッド用側柵ＡをベッドＢのサイドフレームｂに装着する際に、サイドフレームｂに設けた装着用の第１挿入孔b1及び第２挿入孔b2に挿入される第１挿入ピンP1及び第２挿入ピンP2を設けている。符号11bは、第１挿入ピンP1を第１縦枠11の下端に傾倒自在に配設するための第１支持具であり、符号12bは、第２挿入ピンP2を第２縦枠12の下端に傾倒自在に配設するための第２支持具である。
【００２３】
特に、図４に示すように、第１挿入ピンP1及び第２挿入ピンP2の上側縁には、縦断面を略台形状としたフランジ部33,33を設けており、同フランジ部33,33を第１支持具11b及び第２支持具12bにおいて遊嵌状態で支持することにより、第１挿入ピンP1及び第２挿入ピンP2を傾倒自在としている。特に、縦断面を略台形状として傾斜面を有するフランジ部33,33としていることによって、第１挿入ピンP1及び第２挿入ピンP2を傾倒自在とすることができるようにしているものである。なお、第１支持具11b及び第２支持具12bはそれぞれ、支持用ケース体51、蓋体52、蓋体装着ネジ53によって構成されている。
【００２４】
また、図４に示すように、第１挿入ピンP1及び第２挿入ピンP2の上端には、それぞれ棒状の第１連結体P1a及び第２連結体P2aを突設しており、同第１連結体P1a及び第２連結体P2aを、中空部を有するパイプである第１縦枠11及び第２縦枠12内に挿入するようにしている。特に、第１連結体P1a及び第２連結体P2aの上端はそれぞれ第１架設具11a部分及び第２架設具12a部分まで達するようにしている。
【００２５】
一方、第３横枠15の左右両端にはそれぞれ略中央部にネジ孔を設けた左雌ネジ体31a及び右雌ネジ体32aを配設しており、さらに、同左雌ネジ体31a及び右雌ネジ体32aのネジ孔と螺合する雄ネジを周面に形成した左進退ピン31b及び右進退ピン32bを、同左雌ネジ体31a及び右雌ネジ体32aに螺合して配設するようにしている。
【００２６】
さらに、左進退ピン31bの第１縦枠11側の端部、及び、右進退ピン32bの第２縦枠12側の端には、略中央に挿入孔（図示せず）を設けた左係止板31c及び右係止板32cを配設しており、同左係止板31c及び右係止板32cの挿入孔内に、第１挿入ピンP1及び第２挿入ピンP2上部に突設した第１連結体P1a及び第２連結体P2aの上端をそれぞれ挿入するようにしている。
【００２７】
また、左雌ネジ体31a及び右雌ネジ体32aのネジ孔は互いに反対方向となるように切っており、第３横枠15がターンバックル状態となるようにしている。
【００２８】
従って、第３横枠15を一方向に回転させると、左進退ピン31b及び右進退ピン32bが共に第３横枠15から押し出されるため、あるいは逆に第３横枠15内に引き込まれるため、左進退ピン31bに配設された左係止板31c、及び、右進退ピン32bに配設された右係止板32cが、第１挿入ピンP1及び第２挿入ピンP2のフランジ部33,33を支点として第１連結体P1a及び第２連結体P2aを傾倒させることができ、それに連動して第１挿入ピンP1及び第２挿入ピンP2を傾倒させることができるようにしている。
【００２９】
サイドフレームｂの第１挿入孔b1及び第２挿入孔b2に第１挿入ピンP1及び第２挿入ピンP2を挿入した状態で、同第１挿入ピンP1及び第２挿入ピンP2を傾倒させることによって、第１挿入ピンP1及び第２挿入ピンP2の下端部分がそれぞれ挿入孔b1,b2の内周面を押圧し、ベッド用側柵Ａをサイドフレームｂに固定状態に装着することができる。特に、第１挿入ピンP1と第２挿入ピンP2とは、それぞれ逆方向に傾倒するようにしているため、第１挿入ピンP1及び第２挿入ピンP2によるサイドフレームｂへの係止をより強固に行うことができる。これが第３横枠15による固定手段である。
【００３０】
なお、サイドフレームｂからベッド用側柵Ａを取り外す際には、第３横枠15を逆方向に回転させることにより傾倒状態の第１挿入ピンP1及び第２挿入ピンP2を鉛直方向と略平行な状態とし、同第１挿入ピンP1及び第２挿入ピンP2の下端部分による第１挿入孔b1及び第２挿入孔b2の内周面の押圧を解除することによって、サイドフレームｂからベッド用側柵Ａを取り外すことができるようにしている。
【００３１】
図４において、符号31dは、左雌ネジ体31aを第３横枠15に取り付けるための左取付ピンであり、符号32dは右雌ネジ体32aを第３横枠15に取り付けるための右取付ピンである。また、符号31eは左進退ピン31bの端部に設けた左係止体であり、符号32eは右進退ピン32bの端部に設けた右係止体である。左係止体31e及び右係止体32eによって、左進退ピン31b及び右進退ピン32bが左雌ネジ体31a及び右雌ネジ体32aから抜け落ちることを防止するようにしている。また、左進退ピン31b及び右進退ピン32bの逆方向の移動に際しては、左係止板31c及び右係止板32cがそれぞれ左係止体31e及び右係止体32eと同様の機能を有するようにしている。
【００３２】
（回動把持部20について）
回動把持部20は、図５に断面図で示すように、固定柵部10の連結枠16内に挿入する連結ネジ21と、同連結ネジ21を配設した連結ネジ支持体22と、同連結ネジ支持体22に一端を接続した円筒状のパイプからなる把持体23とによって構成している。把持体23の材質は何であってもよく、本実施例では鉄製としている。アルミあるいはプラスチック等を用いることによって軽量化するようにしてもよい。また、把持体23にはゴム材やウレタンなどの弾性材料を環装するようにし、手に馴染んで把持しやすくするとともに、誤って体などがぶつかったりした際の衝撃を吸収させるようにしてもよい。
【００３３】
本実施例では、図１に示すように、把持体23の中途部２箇所に所用の曲率で略９０度の折り曲げ加工を施して、上側枠23aと、側方枠23bと、下側枠23cとからなる略Ｊ字状の把持体23とするようにしている。特に、上側枠23a及び下側枠23cは、第１・第２・第３横枠13,14,15と略平行となるようにしており、側方枠23bは、第１・第２縦枠11,12と略平行となるようにしている。
【００３４】
図５に示すように、連結ネジ21の挿入される連結枠16内には、連結ネジ21と螺合する雌ねじを設けた連結用雌ネジ体16aを配設しており、回動把持部20の連結ネジ21を連結枠16の連結用雌ネジ体16aに螺着させることによって、回動把持部20を固定柵部10に回動自在に連結することができるようにしている。
【００３５】
さらに、連結ネジ支持体22の下面22uと接することになる第１連結具13aの上面13uには、図６に図５のＸ−Ｘでの断面図として示すように、同第１連結具13aに設けた連結ネジ21の挿入される連結ネジ挿入孔13bと同心とした所定半径の円周上であって、所定の回転角ごとに回動防止球34が配設される球受用凹部13cを凹設している。特に、図５に示すように、球受用凹部13cに配設される回動防止球34は、約上半分が第１連結具13aの上面13uよりも突出するようにしている。
【００３６】
一方、連結ネジ支持体22の下面22uには、球受用凹部13cに対応させて嵌合用凹部22cを凹設するようにしており、第１連結具13aの上面13uに突出した回動防止球34と嵌合用凹部22cとを嵌合させることにより、連結ネジ支持体22の下面22uと第１連結具13aの上面13uとが接するようにしている。またこの状態において、回動防止球3 4が回動把持部20の回動を防止するようにしている。これが拘束手段である。
【００３７】
本実施例では、回転角を３０度として計１２個の球受用凹部13cを凹設するようにしており、連結ネジ支持体22の下面22uにも１２個の嵌合用凹部22cを凹設して、回動把持部20を３０度の角度ごとに安定的に固定することができるようにしている。しかし、３０度ごとに限定するものではなく、所用の角度ごとに固定することができるようにしてもよい。
【００３８】
また、球受用凹部13cと嵌合用凹部22cとは同数となっている必要はなく、球受用凹部13cを回転角約９０度ごとに配設し、第１連結具13aの上面13uに４個の回動防止球34を設け、一方、連結ネジ支持体22の下面22uは上述したように１２個の嵌合用凹部22cを設けて、回動把持部20を３０度の角度ごとに安定的に固定することができるようにしてもよい。
【００３９】
回動把持部20の向きを変える場合には、連結枠16を一方向に回転させることによって連結ネジ21と連結用雌ネジ体16aとの螺着状態を緩め、連結ネジ支持体22の下面22uと第１連結具13aの上面13uとの間に、第１連結具13aの上面13uより突出している球受用凹部13cの高さ分だけの隙間を生起し、嵌合用凹部22cと回動防止球34の嵌合を解除することにより、回動把持部20を回動可能状態とすることができるようにしている。
【００４０】
そして、回動把持部20の向きを所用の向きに向け、連結枠16を逆方向に回転させて嵌合用凹部22cと回動防止球34を嵌合させながら、連結ネジ支持体22の下面22uと第１連結具13aの上面13uとを緊密に接触させるにしている。
【００４１】
図７（ａ）は本発明のベッド用側柵Ａにおいて、固定柵部10に対して回動把持部20を約９０度回動させた使用状態を示した正面図、図７（ｂ）は同平面図、図７（ｃ）は同左側面図、図７（ｄ）は同背面図である。
【００４２】
【発明の効果】
本発明によれば、固定柵部のサイドフレームへの固定装着操作、及び、回動把持部の固定柵部に対する回動の固定操作、すなわち、回動把持部の拘束操作を、固定柵部を構成している枠体の中の所用の枠体を回動操作することによって行うことができるようにしているので、固定柵部の固定装着操作及び回動把持部の拘束操作の操作手段が突出状態となることを防止することができ、同操作手段部分に衣服などが引っかかることによって勝手に固定状態が解除されることを防止することができる。
【図面の簡単な説明】
【図１】（ａ）本発明に係るベッド用側柵の正面図、（ｂ）同平面図、（ｃ）同底面図、（ｄ）同左側面図、（ｅ）同右側面図である。
【図２】本発明に係るベッド用側柵の斜視図である。
【図３】本発明に係るベッド用側柵の使用状態を示した参考図である。
【図４】固定柵部の第３横枠部分の縦断面図である。
【図５】固定柵部と回動把持部との連結部分の縦断面図である。
【図６】図５のＸ−Ｘにおける断面図である。
【図７】（ａ）ベッド用側柵の他の使用状態を示した正面図、（ｂ）同平面図、（ｃ）同左側面図、（ｄ）同背面図である。
【符号の説明】
Ａ   ベッド用側柵
P1   第１挿入ピン
P2   第２挿入ピン
10   固定柵部
11   第１縦枠
11a  第１架設具
11b  第１支持具
12   第２縦枠
12a  第２架設具
12b  第２支持具
13   第１横枠
13a  第１連結具
14   第２横枠
14a  第２連結具
15   第３横枠
16   連結枠
17   第１グリップ部
18   第２グリップ部
20   回動把持部
22   連結ネジ支持体
23   把持体
23a  上側枠
23b  側方枠
23c  下側枠
【図１】
0004558919.tif 000002
【図２】
0004558919.tif 000003
【図３】
0004558919.tif 000004
【図４】
0004558919.tif 000005
【図５】
0004558919.tif 000006
【図６】
0004558919.tif 000007
【図７】
0004558919.tif 000008